(57)【要約】【課題】  第２組電池に充電電流（特に、過大な電流）が流れるのを阻止するとともに、第２組電池の放電だけを許容する。【解決手段】  電池システムは、充放電を行う第１組電池（１０）および第２組電池（２０）と、ダイオード（３２）とを有する。第１組電池は、第２組電池よりも大きな電流で充放電が可能であり、第２組電池は、第１組電池よりも蓄電容量が大きい。第１組電池および第２組電池は、並列接続されているとともに、負荷と接続されている。ダイオードは、第２組電池と直列接続されるとともに、第２組電池とともに第１組電池と並列接続される。ダイオードは、第２組電池の放電電流を流す。【選択図】  図１
2012234697.tif 000002
【特許請求の範囲】
【請求項１】
並列接続された状態で負荷と接続され、充放電を行う第１組電池および第２組電池と、
前記第２組電池と直列接続されるとともに、前記第２組電池とともに前記第１組電池と並列接続されており、前記第２組電池の放電電流を流すダイオードと、を有し、
前記第１組電池は、前記第２組電池よりも大きな電流で充放電が可能であり、前記第２組電池は、前記第１組電池よりも蓄電容量が大きいことを特徴とする電池システム。
【請求項２】
前記第２組電池と接続され、外部電源からの電力を受けて前記第２組電池の充電を行う充電器を有することを特徴とする請求項１に記載の電池システム。
【請求項３】
前記第１組電池の充放電を許容状態および禁止状態の間で切り替える第１リレーと、
前記第２組電池の放電を許容状態および禁止状態の間で切り替える第２リレーと、
を有することを特徴とする請求項１又は２に記載の電池システム。
【請求項４】
前記ダイオードのカソードは、前記第２リレーと接続されていることを特徴とする請求項３に記載の電池システム。
【請求項５】
前記負荷は、モータ・ジェネレータであり、
前記モータ・ジェネレータは、前記第１組電池および前記第２組電池の少なくとも一方からの電力を受けて運動エネルギを生成するとともに、入力された運動エネルギから電気エネルギを生成することを特徴とする請求項１から４のいずれか１つに記載の電池システム。
【請求項６】
前記モータ・ジェネレータは、車両の走行に用いられる運動エネルギを生成するとともに、車両の制動時に発生する運動エネルギを電気エネルギに変換することを特徴とする請求項５に記載の電池システム。
【請求項７】
前記第２組電池は、並列接続された複数の単電池を含むことを特徴とする請求項１から６のいずれか１つに記載の電池システム。
【請求項８】
前記第２組電池は、直列接続された複数の電池ブロックで構成されており、
前記各電池ブロックは、並列接続された複数の単電池で構成されていることを特徴とする請求項７に記載の電池システム。
【請求項９】
前記第２組電池は、並列接続された複数の電池ブロックで構成されており、
前記各電池ブロックは、直列接続された複数の単電池で構成されていることを特徴とする請求項７に記載の電池システム。
【請求項１０】
前記第１組電池は、直列接続された複数の単電池で構成されていることを特徴とする請求項１から９のいずれか１つに記載の電池システム。
【発明の詳細な説明】
【技術分野】
【０００１】
本発明は、いわゆる高出力型組電池および高容量型組電池が電気的に並列に接続された電池システムに関する。
【背景技術】
【０００２】
高出力型組電池および高容量型組電池を電気的に並列に接続した電池システムが提案されている。高出力型組電池は、高容量型組電池よりも大きな電流で充放電を行うことができ、高容量型組電池は、高出力型組電池よりも大きな蓄電容量を有している。
【先行技術文献】
【特許文献】
【０００３】
【特許文献１】特開２００４−１１１２４２号公報
【特許文献２】特開２００４−２１５４５６号公報
【特許文献３】特開２００５−１９７０１５号公報
【特許文献４】特開２００５−２１６６３１号公報
【特許文献５】特開２００６−０７９９８７号公報
【発明の概要】
【発明が解決しようとする課題】
【０００４】
高容量型組電池は、高出力型組電池よりも小さい電流で充放電が行われることになるため、高容量型組電池に入力される電流値によっては、高容量型組電池に不具合が発生するおそれがある。例えば、高容量型組電池に入力される電流値が、高容量型組電池の許容電流値に到達してしまうおそれがある。
【課題を解決するための手段】
【０００５】
本発明である電池システムは、充放電を行う第１組電池および第２組電池と、ダイオードとを有する。第１組電池は、第２組電池よりも大きな電流で充放電が可能であり、第２組電池は、第１組電池よりも蓄電容量が大きい。第１組電池および第２組電池は、並列接続されているとともに、負荷と接続されている。ダイオードは、第２組電池と直列接続されるとともに、第２組電池とともに第１組電池と並列接続される。また、ダイオードは、第２組電池の放電電流を流す。ダイオードは、第２組電池の正極端子および負極端子のうち、少なくとも一方と接続することができる。
【０００６】
第２組電池には、充電器を接続することができる。ダイオードを設けることにより、第２組電池は、放電だけが許容されることになるため、放電によって第２組電池のＳＯＣ（State Of Charge、充電状態）が低下したときには、充電器を用いて、第２組電池を充電することができる。充電器は、外部電源からの電力を第２組電池に入力させることができる。第１組電池および第２組電池は、並列接続されているため、第２組電池を充電すれば、第２組電池から第１組電池に充電電流を流すことができ、第１組電池の充電を行うこともできる。
【０００７】
本発明の電池システムには、第１リレーおよび第２リレーを設けることができる。第１リレーは、第１組電池の充放電を許容状態および禁止状態の間で切り替える。第２リレーは、第２組電池の放電を許容状態および禁止状態の間で切り替える。ここで、ダイオードのカソードは、第２リレーに接続することができる。
【０００８】
負荷としては、モータ・ジェネレータを用いることができる。モータ・ジェネレータは、第１組電池および第２組電池の少なくとも一方からの電力を受けて運動エネルギを生成するとともに、入力された運動エネルギから電気エネルギを生成することができる。具体的には、モータ・ジェネレータは、車両の走行に用いられる運動エネルギを生成するとともに、車両の制動時に発生する運動エネルギを電気エネルギに変換することができる。モータ・ジェネレータによって生成された電気エネルギは、第１組電池だけに蓄えられることになる。
【０００９】
第２組電池には、並列接続された複数の単電池を含めることができる。また、直列接続された複数の電池ブロックによって、第２組電池を構成し、各電池ブロックを、並列接続された複数の単電池で構成することができる。一方、並列接続された複数の電池ブロックによって、第２組電池を構成し、各電池ブロックを、直列接続された複数の単電池で構成することができる。また、第１組電池は、直列接続された複数の単電池で構成することができる。
【発明の効果】
【００１０】
本発明によれば、ダイオードを設けることにより、第２組電池に充電電流（特に、過大な電流）が流れるのを阻止することができる。また、第２組電池の放電だけを許容することができ、第２組電池に蓄えられた電気エネルギを効率良く利用することができる。
【図面の簡単な説明】
【００１１】
【図１】実施例１である電池システムの構成を示す図である。
【図２】変形例である高容量型組電池の構成を示す図である。
【図３】単純に並列接続された高出力型組電池および高容量型組電池を放電したときにおいて、高出力型組電池および高容量型組電池のＳＯＣの挙動を示す概略図である。
【発明を実施するための形態】
【００１２】
以下、本発明の実施例について説明する。
【実施例１】
【００１３】
本発明の実施例１である電池システムについて説明する。図１は、本実施例の電池システムの構成を示す回路図である。本実施例の電池システムは、車両に搭載することができる。
【００１４】
本実施例の電池システムは、高出力型組電池（第１組電池に相当する）１０および高容量型組電池（第２組電池に相当する）２０を備えており、高出力型組電池１０および高容量型組電池２０は、電気的に並列に接続されている。高出力型組電池１０は、高容量型組電池２０よりも大きな電流で充放電を行うことができる電池である。高容量型組電池２０は、高出力型組電池１０よりも大きな蓄電容量を有する電池である。
【００１５】
高出力型組電池１０は、電気的に直列に接続された複数の単電池１１を有する。単電池１１としては、ニッケル水素電池やリチウムイオン電池といった二次電池を用いることができる。また、単電池１１としては、いわゆる円筒型の電池や、いわゆる角型の電池を用いることができる。円筒型の電池は、外形が円筒に沿った形状を有する電池である。角型の電池は、外形が直方体に沿った形状を有する電池である。
【００１６】
高容量型組電池２０は、電気的に直列に接続された複数の電池ブロック２１を有する。各電池ブロック２１は、電気的に並列に接続された複数の単電池２２を有する。単電池２２としては、ニッケル水素電池やリチウムイオン電池といった二次電池を用いることができる。また、単電池２２としては、円筒型や角型の電池を用いることができる。
【００１７】
図１に示す高容量型組電池２０では、複数の電池ブロック２１を電気的に直列に接続しているが、これに限るものではない。例えば、図２に示すように、高容量型組電池２０を構成することができる。図２に示す高容量型組電池２０では、複数の電池ブロック２１が電気的に並列に接続されており、各電池ブロック２１では、複数の単電池２２が電気的に直列に接続されている。図２に示す構成でも、電池ブロック２１や単電池２２の数は、適宜設定することができる。
【００１８】
高容量型組電池２０を構成する単電池２２の数は、高出力型組電池１０を構成する単電池１１の数よりも多い。また、電池ブロック２１を構成する単電池２２の数は、すべての電池ブロック２１において等しい。ここで、電池ブロック２１の数や、電池ブロック２１を構成する単電池２２の数は、高容量型組電池２０の特性（容量など）に基づいて、適宜設定することができる。本実施例では、高出力型組電池１０および高容量型組電池２０の総電圧を略等しくしているが、互いに異ならせることもできる。
【００１９】
単電池１１，２２として、リチウムイオン電池を用いるとき、例えば、単電池１１の負極活物質として、ハードカーボン（難黒鉛化炭素材料）を用い、単電池１１の正極活物質として、リチウム・マンガン系複合酸化物を用いることができる。また、単電池２２の負極活物質として、グラファイト（黒鉛）を用い、単電池２１の正極活物質として、リチウム・ニッケル系複合酸化物を用いることができる。
【００２０】
高出力型組電池１０の単電池１１および高容量型組電池２０の単電池２２は、互いに比較したときに、以下の表１に示す関係を有する。
【００２１】
【表１】
2012234697.tif 000003
【００２２】
表１において、単電池１１，２２の出力は、例えば、単電池の単位質量当たりの電力（単位［Ｗ／ｋｇ］）や、単電池の単位体積当たりの電力（単位［Ｗ／Ｌ］）として表すことができる。単電池の出力に関して、単電池１１（高出力型組電池１０）は、単電池２２（高容量型組電池２０）よりも高い。ここで、単電池１１，２２の質量又は体積を等しくしたとき、単電池１１の出力［Ｗ］は、単電池２２の出力［Ｗ］よりも高くなる。
【００２３】
単電池１１，２２の容量は、例えば、単電池の単位質量当たりの容量（単位［Ｗｈ／ｋｇ］）や、単電池の単位体積当たりの容量（単位［Ｗｈ／Ｌ］）として表すことができる。単電池の容量に関して、単電池２２は、単電池１１よりも大きい。ここで、単電池１１，２２の質量又は体積を等しくしたとき、単電池２２の容量［Ｗｈ］は、単電池１１の容量［Ｗｈ］よりも大きくなる。
【００２４】
表１において、単電池１１，２２の電極の出力は、例えば、電極の単位面積当たりの電流値（単位［ｍＡ／ｃｍ＾２］）として表すことができる。電極の出力に関して、単電池１１は、単電池２２よりも高い。ここで、電極の面積が等しいとき、単電池１１の電極に流れる電流値は、単電池２２の電極に流れる電流値よりも大きくなる。
【００２５】
単電池１１，２２の電極の容量は、例えば、電極の単位質量当たりの容量（単位［ｍＡｈ／ｇ］）や、電極の単位体積当たりの容量（単位［ｍＡｈ／ｃｃ］）として表すことができる。電極の容量に関して、単電池２２は、単電池１１よりも大きい。ここで、電極の質量又は体積が等しいとき、単電池２２の電極の容量は、単電池１１の電極の容量よりも大きくなる。
【００２６】
高出力型組電池１０の正極端子には、システムメインリレー（第１リレーに相当する）ＳＭＲ−Ｂ１が接続されており、システムメインリレーＳＭＲ−Ｂ１のオン／オフは、コントローラ５０からの制御信号によって切り替えられる。システムメインリレーＳＭＲ−Ｂ１がオン状態であるとき、高出力型組電池１０の充放電が許容される。また、システムメインリレーＳＭＲ−Ｂ１がオフ状態であるとき、高出力型組電池１０の充放電が禁止される。
【００２７】
高容量型組電池２０の正極端子には、システムメインリレー（第２リレーに相当する）ＳＭＲ−Ｂ２が接続されており、システムメインリレーＳＭＲ−Ｂ２のオン／オフは、コントローラ５０からの制御信号によって切り替えられる。システムメインリレーＳＭＲ−Ｂ２がオン状態であるとき、高容量型組電池２０の放電が許容される。また、システムメインリレーＳＭＲ−Ｂ２がオフ状態であるとき、高容量型組電池２０の放電が禁止される。
【００２８】
高出力型組電池１０の負極端子および高容量型組電池２０の負極端子には、システムメインリレーＳＭＲ−Ｇ，ＳＭＲ−Ｐが接続されている。システムメインリレーＳＭＲ−Ｇ，ＳＭＲ−Ｐのオン／オフは、コントローラ５０からの制御信号によって切り替えられる。システムメインリレーＳＭＲ−Ｐには、プリチャージ抵抗３１が直列に接続されている。また、システムメインリレーＳＭＲ−Ｐおよびプリチャージ抵抗３１は、システムメインリレーＳＭＲ−Ｇに対して並列に接続されている。
【００２９】
高出力型組電池１０および高容量型組電池２０は、システムメインリレーＳＭＲ−Ｂ１，ＳＭＲ−Ｂ２，ＳＭＲ−Ｇ，ＳＭＲ−Ｐを介して、負荷４０と接続されている。負荷４０としては、モータ・ジェネレータを用いることができる。
【００３０】
モータ・ジェネレータ４０は、高出力型組電池１０および高容量型組電池２０からの電力を受けることにより、車両を走行させるための運動エネルギを生成する。また、車両を減速させたり、停止させたりするとき、モータ・ジェネレータ４０は、制動時に発生する運動エネルギを電気エネルギに変換する。モータ・ジェネレータ４０で生成された電気エネルギは、回生電力として、高出力型組電池１０に供給され、高出力型組電池１０は、回生電力を蓄えることができる。
【００３１】
高出力型組電池１０および高容量型組電池２０と、モータ・ジェネレータ４０との間の電流経路には、昇圧回路やインバータを配置することができる。昇圧回路を用いれば、高出力型組電池１０や高容量型組電池２０の出力を昇圧処理した後に、モータ・ジェネレータ４０に供給したり、モータ・ジェネレータ４０の出力を降圧処理した後に、高出力型組電池１０に供給したりすることができる。一方、インバータを用いれば、モータ・ジェネレータ４０として、交流モータを用いることができる。
【００３２】
システムメインリレーＳＭＲ−Ｂ２と、高容量型組電池２０の正極端子との間には、ダイオード３２が設けられている。具体的には、ダイオード３２のカソードは、システムメインリレーＳＭＲ−Ｂ２と接続されている。言い換えれば、ダイオード３２のカソードは、高出力型組電池１０の正極端子および負荷を接続するラインと接続されている。また、ダイオード３２のアノードは、高容量型組電池２０の正極端子と接続されている。
【００３３】
本実施例では、ダイオード３２のカソードがシステムメインリレーＳＭＲ−Ｂ２と接続し、ダイオード３２のアノードが高容量型組電池２０の正極端子と接続されているが、これに限るものではない。具体的には、ダイオード３２のカソードが高容量型組電池２０の負極端子と接続され、ダイオード３２のアノードがシステムメインリレーＳＭＲ−Ｇ，ＳＭＲ−Ｐと接続されていてもよい。
【００３４】
すなわち、ダイオード３２および高容量型組電池２０を直列に接続し、直列に接続されたダイオード３２および高容量型組電池２０を、高出力型組電池１０に対して並列に接続すればよい。ここで、後述するように、ダイオード３２は、高容量型組電池２０の放電を許容するとともに、負荷４０や高出力型組電池１０からの充電電流が高容量型組電池２０に流れるのを阻止する機能を有する。この機能を果たすように、ダイオード３２を配置すればよい。ダイオード３２は、高容量型組電池２０の負極端子および正極端子のうち、少なくとも一方に配置すればよい。
【００３５】
高容量型組電池２０には、充電器４１が並列に接続されている。具体的には、高容量型組電池２０の正極端子およびダイオード３２のアノードを接続するラインと、高容量型組電池２０の負極端子とに対して、充電器４１が接続されている。
【００３６】
ここで、ダイオード３２を高容量型組電池２０の負極端子と接続するときには、ダイオード３２のカソードおよび高容量型組電池２０の負極端子を接続するラインに対して、充電器４１を接続する必要がある。言い換えれば、ダイオード３２は、高容量型組電池２０および充電器４１と直列に接続されている。また、ダイオード３２は、高容量型組電池２０および充電器４１とともに、高出力型組電池１０に対して並列に接続されている。
【００３７】
充電器４１を用いることにより、高容量型組電池２０を充電することができる。充電器４１は、外部電源からの電力を、高容量型組電池２０に供給する。外部電源としては、例えば、家庭用電源を用いることができる。家庭用電源を用いたとき、充電器４１は、家庭用電源から供給された交流電力を直流電力に変換して、高容量型組電池２０に供給する。
【００３８】
高容量型組電池２０の充電によって、高容量型組電池２０の総電圧（ＯＣＶ）が高出力型組電池１０の総電圧（ＯＣＶ）よりも高くなれば、高容量型組電池２０から高出力型組電池１０に充電電流を流すことができる。これにより、高容量型組電池２０の充電によって、高出力型組電池１０の充電も行うことができる。
【００３９】
本実施例では、電池システムの一部として、充電器４１が設けられているが、電池システムの外部に充電器を設けることもできる。この場合には、電池システムが充電器と接続されることにより、高容量型組電池２０の充電を行うことができる。
【００４０】
高出力型組電池１０および負荷４０を電気的に接続するとき、コントローラ５０は、まず、システムメインリレーＳＭＲ−Ｂ１，ＳＭＲ−Ｐをオフ状態からオン状態に切り替える。ここで、コントローラ５０は、システムメインリレーＳＭＲ−Ｇをオフ状態のままとしている。システムメインリレーＳＭＲ−Ｐをオン状態とすることにより、プリチャージ抵抗３１に電流が流れる。
【００４１】
所定時間が経過すると、コントローラ５０は、システムメインリレーＳＭＲ−Ｇをオフ状態からオン状態に切り替えるとともに、システムメインリレーＳＭＲ−Ｐをオン状態からオフ状態に切り替える。これにより、高出力型組電池１０および負荷４０の接続が完了する。ここで、システムメインリレーＳＭＲ−Ｂ１，ＳＭＲ−Ｇをオン状態からオフ状態に切り替えれば、高出力型組電池１０および負荷４０の電気的な接続を遮断することができる。
【００４２】
高容量型組電池２０および負荷４０を接続するとき、コントローラ５０は、まず、システムメインリレーＳＭＲ−Ｂ２，ＳＭＲ−Ｐをオフ状態からオン状態に切り替える。ここで、コントローラ５０は、システムメインリレーＳＭＲ−Ｇをオフ状態のままとしている。システムメインリレーＳＭＲ−Ｐをオン状態とすることにより、プリチャージ抵抗３１に電流が流れる。
【００４３】
所定時間が経過すると、コントローラ５０は、システムメインリレーＳＭＲ−Ｇをオフ状態からオン状態に切り替えるとともに、システムメインリレーＳＭＲ−Ｐをオン状態からオフ状態に切り替える。これにより、高容量型組電池２０および負荷４０の接続が完了する。ここで、システムメインリレーＳＭＲ−Ｂ２，ＳＭＲ−Ｇをオン状態からオフ状態に切り替えれば、高容量型組電池２０および負荷４０の電気的な接続を遮断することができる。
【００４４】
高容量型組電池２０は、例えば、ＥＶ走行モードで車両を走行させるときに用いることができる。ＥＶ走行モードは、高容量型組電池２０から出力された電気エネルギを用いて、車両を走行させるモードである。ＥＶ走行モードは、車両を走行させる動力源として、少なくとも高出力型組電池１０および高容量型組電池２０を備えた車両において、設定される。この車両としては、具体的には、車両の動力源として、組電池１０，２０だけを備えた電気自動車や、車両の動力源として、組電池１０，２０の他に、内燃機関を備えたハイブリッド自動車がある。
【００４５】
ＥＶ走行モードでは、例えば、高容量型組電池２０の電力を積極的に用い、車両の要求出力によっては、高出力型組電池１０の電力を併用して車両を走行させることができる。ここで、高容量型組電池２０では、定電流放電に沿った放電を行うことができる。
【００４６】
ＥＶ走行モードでは、高容量型組電池２０のＳＯＣ（State Of Charge、充電状態）が、予め定めた下限値に到達するまで、高容量型組電池２０を放電することができる。高容量型組電池２０のＳＯＣが下限値に到達したときには、充電器４１を用いることにより、高容量型組電池２０のＳＯＣが、予め定めた上限値に到達するまで、高容量型組電池２０を充電することができる。
【００４７】
ここで、高容量型組電池２０の充放電制御におけるＳＯＣの上限値は、高出力型組電池１０の充放電制御におけるＳＯＣの上限値よりも高くすることができる。また、高容量型組電池２０の充放電制御におけるＳＯＣの下限値は、高出力型組電池１０の充放電制御におけるＳＯＣの下限値よりも低くすることができる。高容量型組電池２０に関して、ＳＯＣの上限値を１００％のＳＯＣ（満充電状態）に近づけたり、ＳＯＣの下限値を０％のＳＯＣに近づけたりすることにより、ＳＯＣの使用範囲を広げることができ、高容量型組電池２０に蓄えられたエネルギを効率良く利用することができる。
【００４８】
高容量型組電池２０のＳＯＣが下限値に到達したときには、高容量型組電池２０の充放電は行われないことになる。このとき、コントローラ５０は、システムメインリレーＳＭＲ−Ｂ２をオン状態からオフ状態に切り替えることができる。
【００４９】
一方、高出力型組電池１０は、例えば、ＨＶ走行モードで車両を走行させるときに用いることができる。ＨＶ走行モードは、車両を走行させる動力源として、高出力型組電池１０や高容量型組電池２０の他に、内燃機関を備えた車両において、設定される。
【００５０】
ＨＶ走行モードは、高出力型組電池１０から出力された電気エネルギと、内燃機関で生成された運動エネルギとを用いながら、車両を走行させるモードである。ＨＶ走行モードでは、高出力型組電池１０のＳＯＣが、予め定められた基準ＳＯＣに沿って変位するように、高出力型組電池１０の充放電を制御することができる。
【００５１】
高出力型組電池１０および高容量型組電池２０を単純に並列接続した構成において、高出力型組電池１０および高容量型組電池２０を、ＥＶ走行モードにおける走行等の負荷に応じて充放電すると、図３に示すように、高容量型組電池２０のＳＯＣが高出力型組電池１０のＳＯＣよりも高くなる。この理由について、以下に説明する。
【００５２】
高出力型組電池１０および高容量型組電池２０は、並列接続されているため、高出力型組電池１０および高容量型組電池２０のＣＣＶ（閉回路電圧）は、互いに等しい。一方、高出力型組電池１０は、高容量型組電池２０よりも内部抵抗Ｒが小さくなるため、ＩＲ成分（Ｉ：電流値）についても、高容量型組電池２０よりも高出力型組電池１０が小さくなる。
【００５３】
高出力型組電池１０および高容量型組電池２０のＯＣＶ（開回路電圧）は、放電時において、下記式（１）で表される。
【００５４】
｜ＣＣＶ｜＝｜ＯＣＶ｜−｜ＩＲ｜  ・・・（１）
【００５５】
式（１）によれば、ＩＲ成分の小さい高出力型組電池１０では、高容量型組電池２０と比べて、ＯＣＶの値も小さくなる。ＯＣＶおよびＳＯＣは、対応関係にあるため、高出力型組電池１０のＳＯＣは、高容量型組電池２０のＳＯＣよりも低くなってしまう。言い換えれば、高容量型組電池２０のＳＯＣは、高出力型組電池１０のＳＯＣよりも高くなってしまう。このような状況では、高容量型組電池２０のＳＯＣを低下させにくくなり、高容量型組電池２０に蓄積されたエネルギを効率良く使用することはできなくなってしまう。具体的には、ＥＶ走行モードにおいて、高容量型組電池２０に蓄積されたエネルギを効率良く利用することができなくなってしまう。
【００５６】
本実施例では、上述したように、ダイオード３２を設けることにより、高容量型組電池２０に充電電流が流れないようにしている。すなわち、回生動作のときに、高出力型組電池１０には充電電流が流れるが、高容量型組電池２０には充電電流が流れないことになる。言い換えれば、高容量型組電池２０では、放電だけが積極的に行われるようにしている。これにより、高容量型組電池２０の充電に伴う分極成分がなくなり、高容量型組電池２０の放電時における分極（ＩＲ成分）を小さくできる。ＩＲ成分を小さくできることにより、高容量型組電池２０のＳＯＣが低下しやすくなり、高容量型組電池２０に蓄積されたエネルギを使用しやすくなる。
【００５７】
また、高出力型組電池１０の総電圧が下限電圧に到達したり、高出力型組電池１０のＳＯＣが下限ＳＯＣに到達したりすると、ＥＶ走行モードからＨＶ走行モードに移行することができる。ここで、下限電圧とは、高出力型組電池１０の充放電制御で用いられる電圧の下限値である。
【００５８】
ＨＶ走行モードに移行した後において、例えば、要求出力に応じた大電流での放電を行うときには、高出力型組電池１０のＣＣＶが高容量型組電池２０のＯＣＶよりも低くなることがある。このとき、ＨＶ走行モードでは、高容量型組電池２０を放電させて、車両を走行させることができる。例えば、高出力型組電池１０のＣＣＶが高容量型組電池２０のＯＣＶと等しくなるまで、高容量型組電池２０を放電させて、高容量型組電池２０に蓄えられた電気エネルギを、車両を走行させるためのエネルギとして利用することができる。
【００５９】
一方、システムメインリレーＳＭＲ−Ｂ１，ＳＭＲ−Ｂ２がオン状態であるとき、高容量型組電池２０の総電圧が高出力型組電池１０の総電圧よりも低くなると、高出力型組電池１０から高容量型組電池２０に電流（循環電流）が流れることがある。このとき、高容量型組電池２０に入力される電流値が、高容量型組電池２０の許容電流値に到達してしまうおそれもある。
【００６０】
また、回生電力を高容量型組電池２０に入力させようとすると、入力される電流値が高容量型組電池２０の許容電流値に到達してしまうおそれもある。ここで、高出力型組電池１０では、高容量型組電池２０よりも大きな電流値で充放電を行うことができるため、回生電力を高出力型組電池１０に入力させることはできる。
【００６１】
本実施例では、ダイオード３２を設けることにより、過大な電流が高容量型組電池２０に流れるのを阻止することができる。ここで、回生動作を行うときには、高出力型組電池１０だけに対して回生電力を入力させることになる。
【００６２】
一方、高容量型組電池２０では、複数の単電池２２が電気的に並列に接続されているため、並列接続された複数の単電池２２において、温度のバラツキが発生していると、温度が高い側の単電池２２に対して電流が流れやすくなってしまう。ここで、高容量型組電池２０を構成する単電池２２の数は、高出力型組電池１０を構成する単電池１１の数よりも多いため、複数の単電池２２の配置状態などに基づいて、複数の単電池２２の温度にバラツキが発生しやすいことがある。
【００６３】
一般的には、単電池２２の温度が上昇すると、単電池２２の内部抵抗が低下するため、内部抵抗が低下した単電池２２には、電流が流れやすくなってしまう。そして、電流が流れやすくなると、発熱量は電流の二乗に比例するため、単電池２２の温度が更に上昇してしまう。特に、過大な電流が単電池２２に流れてしまうと、単電池２２の温度も過度に上昇してしまう。
【００６４】
このように、並列接続された複数の単電池２２において、温度のバラツキが発生しているときに、高容量型組電池２０に充電電流が流れると、複数の単電池２２における温度のバラツキが広がりやすくなってしまう。また、単電池２２の温度が上昇してしまうと、単電池２２が劣化しやすくなってしまう。
【００６５】
本実施例では、上述したように、ダイオード３２を設けて、高容量型組電池２０に充電電流が流れるのを阻止することにより、高容量型組電池２０の一部の単電池２２に電流が集中して流れてしまうのを防止することができる。したがって、高容量型組電池２０では、複数の単電池２２における温度のバラツキが広がるのを抑制することができる。また、温度上昇に伴う単電池２２の劣化も抑制することができる。
【００６６】
一方、各単電池２２の温度を監視し、各単電池２２の冷却を効率良く行うようにすれば、複数の単電池２２における温度のバラツキが発生するのを抑制することができる。しかし、この場合には、複数の単電池２２の温度調節を行うための構造や制御が複雑になってしまう。本実施例では、高容量型組電池２０の充電を制限して、複数の単電池２２における温度のバラツキを抑制しているため、単電池２２の温度調節を行うための構造や制御を簡素化することができる。
【符号の説明】
【００６７】
１０：高出力型組電池（第１組電池）
１１：単電池
２０：高容量型組電池（第２組電池）
２１：電池ブロック
２２：単電池
３１：プリチャージ抵抗
３２：ダイオード
４０：負荷
４１：充電器
５０：コントローラ
【図１】
2012234697.tif 000004
【図２】
2012234697.tif 000005
【図３】
2012234697.tif 000006